(57)【要約】【課題】親機に接続される子機と携行端末との間で当該携行端末を携行する人体を経由して高周波信号を送受信して人体通信を行うにあたり、その施工性を高めるとともにコストを低減させ、かつ当該人体通信の送受信動作の安定化を図る。【解決手段】親機４に接続される子機１とセキュリティ操作を行う居住者により携行される携行端末５との間で高周波信号を送受信させるにあたって、この送受信の動作を行う子機の部位として、呼出ボタン１００ａに備えられるアンテナ１００ｃ及び当該アンテナに接続される送受信部１０３を使用し、親機の親機制御部４０６による電源部４０５からの電源供給でそれぞれ駆動させ、セキュリティ動作を実行するとき、親機における呼出報知の動作を停止する。また、高周波信号の情報を時系列で親機の記憶部４０３に保存する。さらに、送受信の動作を暗号化するための暗号化符号を子機の子機制御部１０６に備え、この暗号化符号を親機制御部にて管理する。【選択図】図１
2010200162.tif 000002
【特許請求の範囲】
【請求項１】
玄関に設置され呼出ボタン（１００ａ）の呼出操作をもとに呼出信号を生成するための子機（１）と、住戸内に設置されライン（Ｌ1）を経由して接続される前記子機からの前記呼出信号を検出して呼出報知を行い、当該子機との間で音声信号を送受信して通話を成立させるための親機（４）と、前記玄関の電気錠（２）の解錠操作や防犯設定の解除操作等のセキュリティ操作を行う居住者により携行される携行端末（５）とを設け、
前記呼出ボタンには、高誘電率の誘電体及び高透磁率の磁性体のうち何れか１つを用いるアンテナ（１００ｃ）が備えられ、
前記アンテナには、前記呼出ボタンに触れる人体の部位を経由して前記携行端末との間で高周波信号を送受信するための送受信部（１０３）が接続されることを特徴とするインターホンシステム。
【請求項２】
前記アンテナ及び前記送受信部はそれぞれ、前記親機の親機制御部（４０６）の制御により電源部（４０５）から前記ラインを経由して供給される電源で駆動されることを特徴とする請求項１記載のインターホンシステム。
【請求項３】
前記親機制御部は、前記子機の前記送受信部にて受信される前記携行端末からの高周波信号と前記呼出信号とをそれぞれ検出したとき、前記電気錠の解錠動作や前記防犯設定の解除等のセキュリティ動作を実行するとともに前記呼出報知の動作を停止することを特徴とする請求項１又は請求項２記載のインターホンシステム。
【請求項４】
前記親機には、前記子機の前記送受信部にて受信される前記携行端末からの高周波信号の情報を時系列で保存するための記憶部（４０３）を備え、
前記親機制御部は、前記記憶部に保存された情報を参照し、前記子機の前記送受信部にて行う前記高周波信号の送受信動作を有効又は無効に制御することを特徴とする請求項１乃至請求項３のうち何れか１項記載のインターホンシステム。
【請求項５】
前記子機には、前記送受信部にて行う前記携行端末との送受信動作を暗号化するために必要とされる暗号化符号を有する子機制御部（１０６）を備え、
前記子機制御部は、前記携行端末からの高周波信号に付加される暗号化符号との照合を行い、前記送受信動作を有効又は無効に制御し、
前記親機制御部は、前記暗号化符号を管理することを特徴とする請求項１乃至請求項４のうち何れか１項記載のインターホンシステム。
【請求項６】
前記子機には、前記送受信部にて受信される前記携行端末からの高周波信号を減衰するためのフィルタ部（１０４）を備えることを特徴とする請求項１乃至請求項５のうち何れか１項記載のインターホンシステム。
【発明の詳細な説明】
【技術分野】
【０００１】
本発明は、親機に接続される子機との間で通信が可能な携行端末を有するインターホンシステムに係り、特に、携行端末を携行する人体の部位を経由した人体通信を行うことができるインターホンシステムに関する。
【背景技術】
【０００２】
従来から、玄関の電気錠の解錠操作を行う帰宅時の居住者が非接触型の識別カードを所持し、電気錠付扉もしくはその近傍に設置した読取り装置が識別カードを識別して電気錠を自動的に解錠させ、キーを用いることなく電気錠付扉を開閉できるようにした電気錠付扉のキーレスシステムが開示されている（例えば、特許文献１を参照。）。
【０００３】
この電気錠付扉のキーレスシステムによれば、電気錠や識別カードに手を触れることなく、電気錠付扉を外部から開閉することができる。
【先行技術文献】
【特許文献】
【０００４】
【特許文献１】特開平６−１２９１４５号公報
【発明の概要】
【発明が解決しようとする課題】
【０００５】
背景技術に記載した特許文献１の電気錠付扉のキーレスシステムによれば、非接触型の識別カードとの間で電波又は電磁波の送受波を行うにあたって、読み取り装置に接続されるアンテナが必要され、このアンテナは電気錠付扉に取り付けられるものであり、その動作電源を確保するためには、住戸外に新規な電源ラインを導入・敷設することが必要とされ、施工性が低下するばかりでなく、コストも増大となる虞があった。
【０００６】
本発明は、この難点を解消するためになされたもので、親機に接続される子機と携行端末との間で当該携行端末を携行する人体を経由して高周波信号を送受信して人体通信を行うにあたり、その施工性を高めるとともにコストを低減させ、かつ当該人体通信の送受信動作の安定化が図られたインターホンシステムを提供することを目的としている。
【課題を解決するための手段】
【０００７】
前述の目的を達成するため、本発明の第１の態様であるインターホンシステムは、玄関に設置され呼出ボタンの呼出操作をもとに呼出信号を生成するための子機と、住戸内に設置されラインを経由して接続される子機からの呼出信号を検出して呼出報知を行い、当該子機との間で音声信号を送受信して通話を成立させるための親機と、玄関の電気錠の解錠操作や防犯設定の解除操作等のセキュリティ操作を行う居住者により携行される携行端末とを設けている。呼出ボタンには、高誘電率の誘電体及び高透磁率の磁性体のうち何れか１つを用いるアンテナが備えられている。アンテナには、呼出ボタンに触れる人体の部位を経由して携行端末との間で高周波信号を送受信するための送受信部が接続されている。
【０００８】
また、本発明の第２の態様であるインターホンシステムは、本発明の第１の態様において、アンテナ及び送受信部はそれぞれ、親機の親機制御部の制御により電源部からラインを経由して供給される電源で駆動されるものである。
【０００９】
また、本発明の第３の態様であるインターホンシステムは、本発明の第１の態様又は第２の態様において、親機制御部は、子機の送受信部にて受信される携行端末からの高周波信号と呼出信号とをそれぞれ検出したとき、電気錠の解錠動作や防犯設定の解除等のセキュリティ動作を実行するとともに呼出報知の動作を停止するものである。
【００１０】
また、本発明の第４の態様であるインターホンシステムは、本発明の第１の態様乃至第３の態様において、親機には、子機の送受信部にて受信される携行端末からの高周波信号の情報を時系列で保存するための記憶部を備えている。親機制御部は、記憶部に保存された情報を参照し、子機の送受信部にて行う高周波信号の送受信動作を有効又は無効に制御するものである。
【００１１】
また、本発明の第５の態様であるインターホンシステムは、本発明の第１の態様乃至第４の態様において、子機には、送受信部にて行う携行端末との送受信動作を暗号化するために必要とされる暗号化符号を有する子機制御部を備えている。子機制御部は、携行端末からの高周波信号に付加される暗号化符号との照合を行い、送受信動作を有効又は無効に制御し、親機制御部は、暗号化符号を管理するものである。
【００１２】
また、本発明の第６の態様であるインターホンシステムは、本発明の第１の態様乃至第５の態様において、子機には、送受信部にて受信される携行端末からの高周波信号を減衰するためのフィルタ部を備えている。
【発明の効果】
【００１３】
本発明のインターホンシステムによれば、親機に接続される子機と電気錠の解錠動作や防犯設定の解除等のセキュリティ操作を行う居住者により携行される携行端末との間で高周波信号を送受信させるにあたり、この送受信動作を行う子機の部位として、呼出ボタンに備えられるアンテナ及び当該アンテナに接続される送受信部を使用し、親機の親機制御部による電源部からの電源供給でそれぞれ駆動させることによって、住戸外における子機とは別途の（屋外用の）アンテナや新規な電源ラインの導入・敷設が不要とされ、その施工性が高められるばかりでなく、コストも低減することができる。
【００１４】
また、本発明のインターホンシステムによれば、携行端末を携行した居住者がセキュリティ操作を行い、電気錠の解錠動作や防犯設定の解除等のセキュリティ動作を実行するにあたって、不要とされる親機における呼出報知の動作を停止することができる。
【００１５】
また、本発明のインターホンシステムによれば、携行端末を携行した居住者の動向を容易に把握することができるばかりでなく、高周波信号の送受信の動作に暗号化符号を適用し、この暗号化符号を親機にて管理することで、送受信動作を容易に有効又は無効にすることができる。
【００１６】
さらに、本発明のインターホンシステムによれば、子機の送受信部にて受信される携行端末からの高周波信号を減衰することにより、この高周波信号による影響、例えば、親機にて行われる各種動作への影響を防止することができる。
【図面の簡単な説明】
【００１７】
【図１】図１は、本発明の実施例によるインターホンシステムの具体的な構成を示すブロック図である。
【発明を実施するための形態】
【００１８】
以下、本発明のインターホンシステムを適用した最良の実施の形態例について、図面を参照して説明する。
【００１９】
図１は、本発明の実施例によるインターホンシステムの具体的な構成を示すブロック図である。このインターホンシステムは、住戸外の玄関に設置される子機１と、玄関（玄関扉）を施解錠するための電気錠２と、住戸内にて発生するセキュリティ異常、例えば、火災やガス漏れの発生、泥棒等の不審者による住戸内への侵入を検出するための防犯センサ３と、住戸内に設置され、子機／親機ラインＬ1を経由して接続される子機１からの呼び出しに応答して通話を成立させるともに、電気錠／親機ラインＬ2を経由して接続される電気錠２、センサ／親機ラインＬ3を経由して接続される防犯センサ３をそれぞれ制御するための親機４と、電気錠２の解錠操作や防犯センサ３の設定解除等のセキュリティ操作を行うにあたって、例えば、外出中の居住者により携行される携行端末５とが設けられている。
【００２０】
次に、前述の構成各部のうち、ここでは、電気錠２及び防犯センサ３を除く各部について具体的な構成を説明するにあたり、子機１には、子機操作部１００、映像撮像部１０１、子機通話部１０２、子機送受信部１０３、フィルタ部１０４、子機電源部１０５、子機制御部１０６及び子機インターフェース部（以下、同様なインターフェース部を「Ｉ／Ｆ」という。）１０７が備えられている。
【００２１】
この子機１において、子機操作部１００は、子機制御部１０６により呼出操作が検出されるものであって、住戸内に居る人物、例えば、居住者を呼び出す来訪者が押下操作を行うための呼出ボタン１００ａと、呼出ボタン１００ａの押下操作の有無に連動してオン／オフが切り換わるスイッチ１００ｂと、呼出ボタン１００ａに備えられ高誘電率の高誘電体及び高透磁率の磁性体のうち何れか１つを用いる子機アンテナ１００ｃとを有している。具体的な構成として、呼出ボタン１００ａが押下操作されると、スイッチ１００ｂがオフ状態からオン状態に切り換えられ、当該押下操作されたことを子機制御部１０６が呼出検出して呼出信号を生成するものである。また、子機アンテナ１００ｃは、子機電源部１０５からの電源供給が動作電源となるものである。
【００２２】
映像撮像部１０１は、子機制御部１０６により制御されるものであって、来訪者の映像や玄関の周囲近傍の映像を撮像するためのものであり、例えば、ＣＣＤ、ＣＭＯＳ等の各種の撮像媒体や映像処理回路で構成されている。
【００２３】
子機通話部１０２は、子機制御部１０６により制御されるものであって、来訪者が居住者との間で通話を成立させるために、音声（送話音声、受話音声）信号を入出力するためのものであり、例えば、マイク、スピーカ及び音声処理回路で構成されている。
【００２４】
子機送受信部１０３は、子機制御部１０６により制御され、前述の子機アンテナ１００ｃと同様、子機電源部１０５からの電源供給が動作電源となるものであって、子機操作部１００を構成する呼出ボタン１０１ａに備えられる子機アンテナ１００ｃ及び携行端末５の後述するアンテナ５０１の間で呼出ボタン１００ａに触れた人体の部位を経由して高周波信号を送受信するためのものである。
【００２５】
フィルタ部１０４は、子機制御部１０６により制御されるものであって、子機送受信部１０３にて受信される携行端末５からの高周波信号を減衰するためのものである。
【００２６】
子機電源部１０５は、子機制御部１０６により制御されるものであって、親機４の後述する子機用電源供給部４０５から供給される直流電源を受電し、当該子機の構成各部に電源供給するためのものである。
【００２７】
子機制御部１０６は、当該子機の構成各部を制御するためのものである。また、子機Ｉ／Ｆ１０７は、フィルタ部１０４及び子機／親機ラインＬ1の間の信号伝送路、子機／親機ラインＬ1から子機電源部１０５への電源供給路をそれぞれ形成するためのものである。
【００２８】
また、親機４には、親機操作部４００、映像出画部４０１、親機通話部４０２、記憶部４０３、親機電源部４０４、子機用電源供給部４０５、親機制御部４０６及び子機側親機Ｉ／Ｆ４０７、電気錠側親機Ｉ／Ｆ４０８及びセンサ側親機Ｉ／Ｆ４０９が備えられている。
【００２９】
この親機４において、親機操作部４００は、親機制御部４０６によりその操作が検出されるものであって、来訪者による子機１からの呼び出しがあることを確認した居住者が応答して通話を成立させるための応答操作、成立中の通話を終了させるための終話操作、電気錠２の解錠操作や防犯センサ３の設定解除等のセキュリティ操作を行うためのものであり、例えば、前述の各種操作に対応させた押圧ボタンや映像出画部４０１（のモニタ）の前面に配置されるタッチパネルで構成されている。
【００３０】
映像出画部４０１は、親機制御部４０６により制御されるものであって、子機１の映像撮像部１０１にて撮像された映像を出画するとともに、子機１からの呼び出し、電気錠２の施解錠状態、防犯センサ３にて検知されたセキュリティ異常を示す文字メッセージや絵データを表示することができるものであり、例えば、ＬＣＤ、ＰＤＰ、有機ＥＬディスプレイ等の各種の表示媒体や映像処理回路で構成されている。
【００３１】
親機通話部４０２は、親機制御部４０６により制御されるものであって、居住者が来訪者との間で通話を成立させるために、音声（送話音声、受話音声）信号を入出力するためのものであり、例えば、マイク、スピーカ及び音声処理回路で構成されている。このスピーカは、子機１からの呼び出しを示す呼出音や音声メッセージ、電気錠２の施解錠状態を示す報知音や音声メッセージ、防犯センサ３にて検知されたセキュリティ異常を発報する警報音や音声メッセージを出力することもできる。
【００３２】
記憶部４０３は、親機制御部４０６により制御されるものであって、子機１の子機送受信部１０３にて受信される携行端末５からの高周波信号の情報を時系列で保存するためのものであり、例えば、ＲＡＭ、ＥＥＰＲＯＭ等の各種の記憶媒体で構成されている。
【００３３】
親機電源部４０４は、親機制御部４０６により制御されるものであって、例えば、ＡＣ１００Ｖの商用電源を整流・平滑させた直流電源を生成し、当該親機の構成各部に電源供給するためのものである。また、子機用電源供給部４０５は、親機制御部４０６により制御されるものであって、親機電源部４０４にて生成された直流電源を、子機１を動作させる所定の電圧レベルに処理した後、子機用電源として子機１に電源供給するためのものである。
【００３４】
親機制御部４０６は、当該親機の構成各部を制御するためのものである。また、子機側親機Ｉ／Ｆ４０７は、子機／親機ラインＬ1から映像出画部４０１への信号伝送路、親機通話部４０２及び子機／親機ラインＬ1の間の信号伝送路、子機用電源供給部４０５から子機／親機ラインＬ1への電源供給路、親機制御部４０６及び子機／親機ラインＬ1の間の信号伝送路をそれぞれ形成するためのものである。また、電気錠側親機Ｉ／Ｆ４０８は、親機制御部４０６及び電気錠／親機ラインＬ2の間の信号伝送路を形成するためのものである。さらに、センサ側親機Ｉ／Ｆ４０９は、親機制御部４０６及びセンサ／親機ラインＬ3の間の信号伝送路を形成するためのものである。
【００３５】
さらに、携行端末５には、端末操作部５００、端末アンテナ５０１、端末送受信部５０２、端末電源部５０３及び端末制御部５０４が備えられている。
【００３６】
この携行端末５において、端末操作部５００は、端末制御部５０４によりその操作が検出されるものであって、電気錠２の解錠操作や防犯センサ３の設定解除等のセキュリティ操作を行うためのものであり、例えば、前述の各種操作に対応させた押圧ボタンで構成されている。
【００３７】
端末送受信部５０２は、端末制御部５０４により制御されるものであって、端末アンテナ５０１及び子機１の子機操作部１００を構成する呼出ボタン１０１ａに備えられる子機アンテナ１００ｃの間で呼出ボタン１００ａに触れた人体の部位を経由して高周波信号を送受信するためのものである。
【００３８】
端末電源部５０３は、例えば、二次電池等の蓄電池で構成され、当該携行端末の構成各部に動作電源を電源供給するためのものである。また、端末制御部５０４は、当該端末の構成各部を制御するためのものである。
【００３９】
このように構成された本発明の実施例によるインターホンシステムにおいて、以下、具体的な動作について説明する。
【００４０】
最初に、図１に示す子機１及び親機４が待受状態、すなわち、来訪者による子機１から親機４への呼び出しがなく通話も成立していない状態であるとき、親機４の親機電源部４０４は、親機制御部４０６の制御により例えば、ＡＣ１００Ｖの商用電源を整流・平滑して所定の電圧レベルである待受用の直流電源を生成し、当該親機の構成各部に電源供給しているとともに、この直流電源を待受用の子機用電源として、子機用電源供給部４０５から子機側親機Ｉ／Ｆ４０７、子機／親機ラインＬ1、子機１の子機Ｉ／Ｆ１０７、子機電源部１０５を経由して当該子機の構成各部に電源供給している。
【００４１】
次に、前述の待受状態における第１の動作として、携行端末５を携行していない来訪者が居住者を呼び出すにあたり、子機１の子機操作部１００を構成する呼出ボタン１００ａを押下操作すると、スイッチ１００ｂがオフ状態からオン状態に切り換えられる一方、前述の電源供給に基づき子機制御部１０６の制御によって駆動される子機送受信部１０３では、子機アンテナ１００ｃを経由した（来訪者の人体からの）高周波信号の受信動作が行われないため、これを検出した子機制御部１０６は、呼出信号のみを生成し、フィルタ部１０４、子機Ｉ／Ｆ１０７、子機／親機ラインＬ1、親機４の子機側親機Ｉ／Ｆ４０７を経由して親機制御部４０６に送出する。
【００４２】
親機４の親機制御部４０６は、子機１の子機制御部１０６からの呼出信号を受信すると、来訪者による呼び出しがあることを検出し、その旨の呼出音や音声メッセージを親機通話部４０２（のスピーカ）から出力させて呼出報知を行うことができ、必要に応じて、その旨の文字メッセージや絵データを映像出画部４０１に表示させることもできる。また、親機制御部４０６は、親機電源部４０４を制御して前述の待受時よりも高い電圧レベルの動作時用の直流電源を生成させ、当該親機の構成各部に電源供給するとともに、この直流電源を動作時用の子機用電源として、子機用電源供給部４０５から子機側親機Ｉ／Ｆ４０７、子機／親機ラインＬ1、子機１の子機Ｉ／Ｆ１０７、子機電源部１０５を経由して当該子機の構成各部に電源供給する。
【００４３】
ここで、子機１の映像撮像部１０１は、子機電源部１０５からの動作時用の子機用電源に基づき子機制御部１０６の制御によって駆動され、来訪者の映像や玄関の周囲近傍の映像の撮像を開始する。この映像撮像部１０１にて撮像された映像信号は、フィルタ部１０４、子機Ｉ／Ｆ１０７、子機／親機ラインＬ1、子機側親機Ｉ／Ｆ４０７を経由して映像出画部４０１に送出され出画することができる。
【００４４】
この後、住戸内に在室中の居住者が親機４の親機操作部４００を使用して所定の応答操作を行うと、この操作を検出した親機制御部４０６及び子機制御部１０６の制御（詳述せず。）により、居住者が使用する親機通話部４０２（のマイク及びスピーカ）と、子機側親機Ｉ／Ｆ４０７、子機／親機ラインＬ1、子機Ｉ／Ｆ１０７、フィルタ部１０４を経由して来訪者が使用する子機通話部１０２（のマイク及びスピーカ）との間の信号伝送路、すなわち、通話路が形成され、音声（送話音声、受話音声）信号を送受信させることによって通話が成立する。
【００４５】
なお、前述の呼出・映像出画時時及び通話成立時において、子機１のフィルタ部１０４は、送受信される信号（呼出信号、映像信号、音声信号）の減衰動作を行うことなく、当該信号の通過動作のみを行っている。
【００４６】
次に、前述の待受状態における第２の動作として、例えば、（端末電源部５０３からの電源供給で駆動される）携行端末５を携行する居住者は、外出前に親機４の親機操作４００を使用して所定のセキュリティ設定操作を行い、この操作を検出した親機制御部４０６の制御により防犯センサ３を非監視状態から監視状態に移行させた後、玄関（玄関扉）の電気錠２を施錠させて外出先に向かうことができる。
【００４７】
この居住者は、帰宅するにあたって、子機１の子機操作部１００を構成する呼出ボタン１００ａを押下操作すると、スイッチ１００ｂがオフ状態からオン状態に切り換えられるとともに、前述の電源供給に基づき子機制御部１０６の制御によって駆動される子機送受信部１０３では、子機アンテナ１００ｃを経由した居住者の人体の部位からの高周波信号の受信動作が開始される。この制御によって、端末操作部５００の使用による所定のセキュリティ操作を検出した端末制御部５０２にて生成される高周波信号が、端末送受信部５０２、端末アンテナ５０１、居住者の人体の部位、子機アンテナ１００ｃ、子機送受信部１０３を経由して子機制御部１０６に送出されることになる。
【００４８】
ここで、子機１の子機アンテナ１００ｃ及び子機送受信部１０３はそれぞれ、前述のように、子機電源部１０５からの電源供給である親機４の親機制御部４０６の制御による子機用電源供給部４０５からの電源供給で駆動されているため、住戸外における子機１とは別途の（屋外用の）アンテナや新規な電源ラインの導入・敷設が不要とされ、その施工性が高められるばかりでなく、コストも低減することができる。
【００４９】
また、子機１の子機制御部１０６は、携行端末５の端末制御部５０４からの高周波信号を受信すると、この高周波信号をフィルタ部１０４にて減衰させた後、前述の呼出時と同様に生成した呼出信号とともに、子機Ｉ／Ｆ１０７、子機／親機ラインＬ1、親機４の子機側親機Ｉ／Ｆ４０７を経由して親機制御部４０６に送出する。
【００５０】
親機４の親機制御部４０６は、子機１の子機制御部１０６からの呼出信号及び減衰された高周波信号をそれぞれ受信すると、携行端末５を携行した居住者によるセキュリティ操作が行われたことを検出し、前述の来訪者による呼出時のような呼出音や音声メッセージの親機通話部４０２（のスピーカ）からの出力による呼出報知は行わずに、電気錠２を解錠させるとともに防犯センサ３を監視状態から非監視状態に制御することにより、携行端末５を携行した居住者は、電気錠２が解錠された玄関（玄関扉）を経由して住戸内に帰宅することができ、このとき、防犯設定は解除されているため、誤った警報発報も防止される。
【００５１】
なお、親機４の親機制御部４０６にて受信される高周波信号は、その伝送過程で減衰されているため、この高周波信号による影響、例えば、親機制御部４０６によって制御される映像出画部４０１、親機通話部４０２等の動作への影響を防止することができる。
【００５２】
また、親機４の親機制御部４０６は、子機１の子機制御部１０６からの減衰された高周波信号を受信すると、例えば、受信日時や受信時において映像撮像部１０１で撮像した映像信号を確認し、その情報を時系列で記憶部４０３に保存することができる。ここで、記憶部４０３に保存された情報は、例えば、親機操作部４００の使用による読出操作を検出した親機制御部４０６の制御によって、映像出画部４０１に表示させることができる。この制御によって、住戸内に在室中の居住者にとっては、携行端末５を携行した居住者の動向を容易に把握することでき、必要に応じて、子機１の子機送受信部１０３にて行われる高周波信号の送受信動作を有効又は無効に設定することも可能となるため、携行端末５を携行した居住者による住宅内への帰宅を急遽禁止する、すなわち、門前払いにすることができる。
【００５３】
また、子機１の子機制御部１０６は、子機送受信部１０４にて行われる携行端末５との送受信動作を暗号化するために必要とされる暗号化符号を有しており、この暗号化符号を携行端末５の端末制御部５０４に予め登録させておくことによって、携行端末５からの高周波信号に暗号化符号を付加させ、受信時において照合を行うことにより、送受信動作を有効又は無効にすることができる。なお、暗号化符号は、親機４の親機制御部４０６の制御により、例えば、記憶部４０３に保存するように管理できる。この制御によって、携行端末５の端末情報や親機４の記憶部４０３に記憶された情報の外部への漏洩が防止され、防犯性が高められることになる。
【００５４】
さらに、親機４の記憶部４０３に保存・管理される暗号化符号は、必要に応じて、親機操作部４００の使用による操作で書き換えることもできる。この制御によって、携行端末５を携行した居住者による住宅内への帰宅を急遽禁止する、すなわち、門前払いにすることができる。
【００５５】
最後に、本発明のインターホンシステムにおいては、特定の実施の形態をもって説明してきたが、この形態に限定されるものでなく、本発明の効果を奏する限り、これまで知られた如何なる構成の当該システムであっても採用できるということはいうまでもないことである。
【００５６】
例えば、前述までの実施例によれば、子機１及び親機４の構成として、映像撮像部１０１を備える当該子機及び映像出画部４０１を備える当該親機を適用したが、この態様に限定されるものではない。例えば、映像撮像部１０１及び映像出画部４０１が不備とされる当該子機及び当該親機を適用することもできる。
【００５７】
また、前述までの説明によれば、子機１の子機送受信部１０３にて受信される携行端末５からの高周波信号の情報を時系列で保存するための記憶部４０３を、親機制御部４０６とは別途に独立して設けたが、この態様に限定されるものではない。例えば、記憶部４０３は、親機制御部４０６に内蔵することもできる。
【符号の説明】
【００５８】
１……子機
１００ａ……呼出ボタン
１００ｃ……子機アンテナ（アンテナ）
１０３……子機送受信部（送受信部）
１０４……フィルタ部
１０６……子機制御部
２……電気錠
４……親機
４００……親機操作部
４０３……記憶部
４０５……子機用電源供給部（電源部）
４０６……親機制御部
５……携行端末
Ｌ1……子機／親機ライン（ライン）
【図１】
2010200162.tif 000003